(57)【要約】【課題】グランド本体、ケーブルが挿通されるスリーブ、およびスリーブを締め付けるキャップなどを備えたケーブルグランドにおいて、スリーブの気密・液密性およびケーブルの保持力をより確実に確保する。【解決手段】キャップ４にてスリーブ３を締め付ける際に、キャップ４とスリーブ３との間に介在するスリーブコレット７を設け、そのスリーブコレット７は、スリーブ３の外周部を囲う円筒形状に形成され当該スリーブ３の外周に嵌め込まれる円筒部７１を有し、その円筒部７１には複数のスリット７３ａが形成されている。このようなスリーブコレット７を設けることにより、キャップ４を締め付ける際に、スリーブ３の径方向外側への変形が制限されるので、グランド本体２およびキャップ４の内部の空き空間にスリーブ３の変形が逃げることを防ぐことができる。これにより、スリーブ３の気密・液密性およびケーブルＣの保持力をより確実に確保することが可能になる。【選択図】図２
2018098828.tif 000002
【特許請求の範囲】
【請求項１】
ケーブルの挿通が可能な筒状の部材であって、円筒形状のケーブル保持部を有し、そのケーブル保持部の外周面に雄ねじが形成されているとともに、前記ケーブル保持部内に円すいテーパ面が形成されたグランド本体と、
ケーブルを通す挿通孔を有し、前記ケーブル保持部に嵌め込まれる円筒形状のスリーブと、
前記ケーブル保持部の雄ねじに噛み合う雌ねじが形成されたキャップと、を備え、
前記グランド本体のケーブル保持部内に前記スリーブを嵌め込んだ状態で、前記キャップを前記ケーブル保持部の雄ねじにねじ込むことにより、前記円すいテーパ面にて前記スリーブを縮径方向に変形させるケーブルグランドにおいて、
前記スリーブに装着されるスリーブコレットを備え、
前記スリーブコレットは、前記スリーブの外周部を囲う円筒形状に形成され当該スリーブの外周に嵌め込まれる円筒部を有し、その円筒部には、当該円筒部の軸方向の途中から端部にまで延びるスリットが形成されており、
前記スリーブに前記スリーブコレットを装着し、そのスリーブを前記ケーブル保持部内に、前記スリーブコレットの前記スリット開放側の端部を前記円すいテーパ面に向けて嵌め込んだ状態で、前記キャップを前記ケーブル保持部の雄ねじにねじ込む際に、前記キャップと前記スリーブとの間に前記スリーブコレットが介在するように構成されていることを特徴とするケーブルグランド。
【請求項２】
請求項１に記載のケーブルグランドにおいて、
前記スリーブコレットの円筒部の端部のうち前記スリット開放側とは反対側の端部に、当該円筒部の周縁から内方に向けて突出する円環状のフランジが一体形成されており、前記キャップを前記ケーブル保持部の雄ねじにねじ込む際に、前記スリーブの軸方向の端部に前記スリーブコレットのフランジが当たるように構成されていることを特徴とするケーブルグランド。
【発明の詳細な説明】
【技術分野】
【０００１】
本発明は、ケーブルを保持するケーブルグランドに関する。
【背景技術】
【０００２】
電気機器にケーブルを接続する際、電気機器の筐体等に取り付けたケーブルグランドを介してケーブルを保持する技術が公知である（例えば、特許文献１参照）。
【０００３】
ケーブルグランドは、例えば図６に示すように、ケーブルＣの挿通が可能な筒状の部材であって鍔部２２１およびその鍔部２２１を挟んだ両側に雄ねじ２２２ａ，２２３ａが形成されたグランド本体２０２、このグランド本体２０２に嵌め込まれるスリーブ２０３、グランド本体２０２の一方側（スリーブ２０３が嵌め込まれる側）の雄ねじ２２２ａにねじ込まれるキャップ（袋ナット）２０４、およびグランド本体２０２を壁体１００に固定するロックナット２０６などを備えている。
【０００４】
このようなケーブルグランド２０１では、グランド本体２０２の他方側の雄ねじ２２３ａを、電気機器の筐体の壁体１００に形成された取付孔１０１に差し込んだ状態で、その他方側の雄ねじ２２３ａにロックナット２０６をねじ込むことによってグランド本体２０２を壁体１００に取り付ける。その後に、スリーブ２０３の挿通孔２０３ａにケーブルＣを挿通した状態でスリーブ２０３をグランド本体２０２に嵌め込み、そのグランド本体２０２の一方側の雄ねじ２２２ａにキャップ２０４を螺合し（図６の状態）、この状態からキャップ２０４をさらにねじ込んでスリーブ２０３を締め付ける。このようにしてキャップ２０４にてスリーブ２０３を締め付けることにより、スリーブ２０３が縮径方向に変形し、スリーブ２０３の挿通孔２０３ａの内周面とケーブルＣの外周面とが密着する。これによって、電気機器の筐体内に水、油、塵、埃などが侵入するのを防止することができるとともに、ケーブルＣ自体をしっかりと保持・固定することができる。
【先行技術文献】
【特許文献】
【０００５】
【特許文献１】特開２００７−３７３６４号公報
【発明の概要】
【発明が解決しようとする課題】
【０００６】
図６に示すケーブルグランド２０１では、キャップ２０４の締め付けによりスリーブ２０３が変形するときに、グランド本体２０２およびキャップ２０４の内部の空き空間Ｓにスリーブ２０３の変形が逃げてしまい、スリーブ２０３の気密・液密性およびケーブルＣの保持力が低減することが懸念される。
【０００７】
本発明はそのような実情を考慮してなされたもので、グランド本体、ケーブルが挿通されるスリーブ、およびスリーブを締め付けるキャップなどを備えたケーブルグランドにおいて、スリーブの気密・液密性およびケーブルの保持力をより確実に確保することが可能な構造を提供することを目的とする。
【課題を解決するための手段】
【０００８】
本発明は、ケーブルの挿通が可能な筒状の部材であって、円筒形状のケーブル保持部を有し、そのケーブル保持部の外周面に雄ねじが形成されているとともに、前記ケーブル保持部内に円すいテーパ面が形成されたグランド本体と、ケーブルを通す挿通孔を有し、前記ケーブル保持部に嵌め込まれる円筒形状のスリーブと、前記ケーブル保持部の雄ねじに噛み合う雌ねじが形成されたキャップとを備え、前記グランド本体のケーブル保持部内に前記スリーブを嵌め込んだ状態で、前記キャップを前記ケーブル保持部の雄ねじにねじ込むことにより、前記円すいテーパ面にて前記スリーブを縮径方向に変形させるケーブルグランドを前提としている。
【０００９】
このようなケーブルグランドにおいて、前記スリーブに装着されるスリーブコレットを備え、前記スリーブコレットは、前記スリーブの外周部を囲う円筒形状に形成され当該スリーブの外周に嵌め込まれる円筒部を有し、その円筒部には、当該円筒部の軸方向の途中から端部にまで延びるスリットが形成されている。そして、前記スリーブに前記スリーブコレットを装着し、そのスリーブを前記ケーブル保持部内に、前記スリーブコレットの前記スリット開放側の端部を前記円すいテーパ面に向けて嵌め込んだ状態で、前記キャップを前記ケーブル保持部の雄ねじにねじ込む際に、前記キャップと前記スリーブとの間に前記スリーブコレットが介在するように構成されていることを特徴としている。
【００１０】
本発明のケーブルグランドによれば、スリーブコレットを装着したスリーブをケーブル保持部内に嵌め込んだ状態で、キャップをグランド本体（ケーブル保持部）の雄ねじにねじ込む際に、キャップとスリーブとの間にスリーブコレットが介在する。このような構成により、キャップを締め付ける過程において、キャップとスリーブとは直接接触しなくなり、キャップとスリーブコレットとが滑り回転するので、スリーブが捻じり方向の摩擦力から解放される。これにより、スリーブに作用する押圧力がスリーブの周方向にわたって均一化されるので、スリーブが適正に縮径される。
【００１１】
しかも、スリーブの外周部がスリーブコレットによって囲われているので、スリーブの径方向外側への変形が制限される。これにより、キャップの締め付けによりスリーブが変形するときに、グランド本体およびキャップの内部の空き空間Ｓ（図６参照）にスリーブの変形が逃げることを防ぐことができるので、スリーブの気密・液密性およびケーブルの保持力をより確実に確保することが可能になる。
【００１２】
本発明のケーブルグランドにおいて、スリーブコレットの円筒部の端部のうち、スリットの開放側とは反対側の端部に、当該円筒部の周縁から内方に向けて突出する円環状のフランジを一体形成しておき、キャップをケーブル保持部の雄ねじにねじ込む際に、スリーブの軸方向の端部にスリーブコレットのフランジが当たるように構成しておいてもよい。このように構成すれば、キャップを締め付ける際に、スリーブコレットのフランジによって、スリーブに対するスリーブコレットの軸方向の位置が規制されるので、スリーブコレットがスリーブからずれることを防ぐことができる。
【発明の効果】
【００１３】
本発明によれば、グランド本体、ケーブルが挿通されるスリーブ、およびスリーブを締め付けるキャップなどを備えたケーブルグランドにおいて、スリーブの気密・液密性およびケーブルの保持力をより確実に確保することが可能になる。
【図面の簡単な説明】
【００１４】
【図１】本発明のケーブルグランドの一例を示す半縦断面図である。
【図２】本発明のケーブルグランドの一例を示す半縦断面図である。なお、図２ではキャップの締め付けによりスリーブおよびスリーブコレットが縮径方向に変形した状態を示す。
【図３】図１のケーブルグランドの分解斜視図である。
【図４】スリーブにスリーブコレットを装着した状態を示す半断面図である。
【図５】スリーブおよびスリーブコレットの変形状態を示す斜視図である。
【図６】従来のケーブルグランドの一例を示す半縦断面図である。
【発明を実施するための形態】
【００１５】
以下、本発明の実施形態を図面に基づいて説明する。
【００１６】
本発明のケーブルグランドの一例を図１〜図５を参照して説明する。
【００１７】
ケーブルグランド１は、グランド本体２、スリーブ３、キャップ４、パッキン５、ロックナット６、およびスリーブコレット７などを備えている。
【００１８】
グランド本体２は、略円筒形状の部材（例えば樹脂製）であって、軸方向（円筒の軸方向）の中央部に略六角形状の鍔部２１が形成されており、この鍔部２１を挟んだ両側（軸方向の両側）に、それぞれ円筒形状のケーブル保持部２２と取付部２３とが形成されている。
【００１９】
ケーブル保持部２２の外周面には雄ねじ２２ａが形成されている。また、取付部２３の外周面には雄ねじ２３ａが形成されている。取付部２３は、電気機器の筺体の壁体１００（以下、電気機器の壁体１００ともいう）に形成された取付孔１０１に差し込まれる。
【００２０】
なお、以下の説明では、グランド本体２のケーブル保持部２２側（ケーブルグランド１のキャップ４側）を前方側といい、その反対側を後方側という。
【００２１】
グランド本体２には、ケーブル挿通用の挿通孔（貫通孔）２４が軸方向に沿って形成されている。挿通孔２４は段付き孔であって、当該挿通孔２４の軸方向の途中（ケーブル保持部２２内）には、後述するスリーブ３を内方（縮径方向）に向けて押圧するための円すいテーパ面２４ｂが形成されており、この円すいテーパ面２４ｂの前方側がケーブル保持孔２４ａとなっている。円すいテーパ面２４ｂは、後方側に向かうにしたがって径が縮小するテーパ面である。そして、ケーブル保持孔２４ａには、後述するスリーブ３およびスリーブコレット７が嵌め込まれる。
【００２２】
スリーブ３は、例えばゴム製の円筒形状の部材であって、円筒部３１とフランジ３２とを有し、それら円筒部３１とフランジ３２とが一体形成されている。フランジ３２は、円筒部３１の後方側の端部（ケーブル保持部２２の円すいテーパ面２４ｂ側となる端部）の周縁から外側に突出する円環状の外フランジである。スリーブ３には、ケーブルＣを通す挿通孔（貫通孔）３ａが軸方向に沿って形成されている。スリーブ３の軸方向の長さは、スリーブ３がグランド本体２のケーブル保持孔２４ａに嵌まり込んだ状態で、グランド本体２の端部（前方側の端部）から所定量突出する長さとなっている。
【００２３】
キャップ４は、外周面が略六角形状の周壁部４１と、その周壁部４１の前方側を覆う前壁部４２とを有する袋ナット状の部材（例えば樹脂製）である。キャップ４の周壁部４１の内周面には、グランド本体２のケーブル保持部２２の雄ねじ２２ａに噛み合う雌ねじ４１ａが形成されている。
【００２４】
キャップ４の前壁部４２の中央には、ケーブルＣを通すための円形孔４２ａが形成されている。さらに、キャップ４には、周壁部４１と前壁部４２との間の内側隅部に円すいテーパ面４２ｂが形成されている。この円すいテーパ面４２ｂの中心軸は雌ねじ４１ａの中心軸に一致している。円すいテーパ面４２ｂは、後方側（前壁部４２とは反対側）に向かうにしたがって径が拡大するテーパ面である。
【００２５】
パッキン５は、円形孔５ａを有する円環状の部材（例えばゴム製）であって、グランド本体２の鍔部２１と電気機器の壁体１００との間に挟み込まれる（図１、図２参照）。パッキン５の内径（円形孔５ａの直径）は、グランド本体２の取付部２３の雄ねじ２３ａの外径と略等しい。
【００２６】
ロックナット６は、グランド本体２を電気機器の壁体１００に固定するためのナット（例えば樹脂製）であって、グランド本体２の取付部２３の雄ねじ２３ａに噛み合う雌ねじ６ａが形成されている。
【００２７】
スリーブコレット７はスリーブ３に装着される。スリーブコレット７は、強靭で高い潤滑性を有する合成樹脂（例えばナイロン類やポリアミド等）からなる薄い部材である。スリーブコレット７は、スリーブ３（円筒部３１）を囲う円筒形状に形成された円筒部７１とフランジ７２とを有し、それら円筒部７１とフランジ７２とが一体形成されている。フランジ７２は、円筒部７１の前方側の端部（スリット７３ａの開放側とは反対側の端部）の周縁から内側に突出する円環状の内フランジである。
【００２８】
スリーブコレット７の円筒部７１の内径は、スリーブ３の円筒部３１の外径に対応しており、このスリーブコレット７の円筒部７１をスリーブ３の円筒部３１に密着した状態で嵌め込むことができる。スリーブコレット７の円筒部３１の外径はスリーブ３のフランジ３２の外径と略等しい。また、スリーブコレット７の円筒部７１の外径は、グランド本体２のケーブル保持孔２４ａの内径に対応している。さらに、スリーブコレット７の円筒部７１の長さは、スリーブ３の円筒部３１の長さと略等しい。
【００２９】
スリーブコレット７の円筒部７１には、当該円筒部７１の軸方向の途中から軸方向に沿って後方側の端部（ケーブル保持部２２の円すいテーパ面２４ｂ側となる端部）にまで、一様幅で延びる複数（１２条）のスリット７３ａ・・７３ａが形成されている。これらスリット７３ａ・・７３ａは、スリーブコレット７の円筒軸を中心に対して回転対称に配置されている。各スリット７３ａは、円筒部７１の端部においてそれぞれ開放している。以下、スリット７３ａ・・７３ａが形成されている部分をスリット形成部７３という。
【００３０】
次に、以上の構造のケーブルグランド１の取付手順について図１〜図５を参照して説明する。
【００３１】
（Ｓ１）まず、スリーブ３、キャップ４、パッキン５、ロックナット６、およびスリーブコレット７をグランド本体２から分解しておく。
【００３２】
（Ｓ２）グランド本体２の取付部２３にパッキン５を嵌め込み、その取付部２３を電気機器の壁体１００の取付孔１０１に当該壁体１００の表側（電子機器の筐体の表側）から差し込む。
【００３３】
（Ｓ３）壁体１００の取付孔１０１に差し込んだグランド本体２の取付部２３の雄ねじ２３ａ（壁体１００の裏側に突出している部分の雄ねじ２３ａ）にロックナット６をねじ込むことによって、グランド本体２を壁体１００に取り付ける（固定する）。
【００３４】
（Ｓ４）図４に示すように、スリーブ３の外周部にスリーブコレット７を装着する。次いで、スリーブ３およびキャップ４にケーブルＣを通した状態で、スリーブ３およびスリーブコレット７をグランド本体２のケーブル保持孔２４ａ内に、スリーブコレット７のスリット７３ａ開放側の端部を円すいテーパ面２４ｂに向けた状態で嵌め込む。
【００３５】
（Ｓ５）キャップ４の雌ねじ４１ａをグランド本体２のケーブル保持部２２の雄ねじ２２ａに合わせてキャップ４をグランド本体２にねじ込んでゆく。このキャップ４のねじ込み過程において、キャップ４にてスリーブコレット７が後方側に押圧され、スリーブ３の後方側の端部が、グランド本体２の円すいテーパ面２４ｂによって押圧される。これによりスリーブ３が縮径方向に変形するとともに、スリーブコレット７のスリット形成部７３も縮径方向に変形する（図２および図５参照）。そして、キャップ４のねじ込み（締め付け）が完了した状態で、スリーブ３の挿通孔３ａの内周面とケーブルＣの外周面とが密着する。これによって、電気機器の筐体内に塵や埃などが侵入するのを防止することができるとともに、ケーブルＣ自体をしっかりと保持・固定することができる。
【００３６】
＜効果＞
以上説明したように、本実施形態のケーブルグランド１によれば、スリーブ３にスリーブコレット７を装着し、そのスリーブ３をケーブル保持部２２（ケーブル保持孔２４ａ）内に、スリーブコレット７のスリット７３ａ開放側の端部を円すいテーパ面２４ｂに向けて嵌め込んだ状態で、キャップ４をグランド本体２の雄ねじ２２ａにねじ込む際にキャップ４とスリーブ３との間にスリーブコレット７が介在するように構成している。このような構成により、キャップ４を締め付ける過程において、キャップ４とスリーブ３とは直接接触しなくなり、キャップ４とスリーブコレット７とが滑り回転するので、スリーブ３が捻じり方向の摩擦力から解放される。これにより、スリーブ３に作用する押圧力がスリーブ３の周方向にわたって均一化されるのでスリーブ３が適正に縮径される。
【００３７】
しかも、スリーブ３の外周部がスリーブコレット７によって囲われているので、スリーブ３の径方向外側への変形が制限される。これにより、キャップ４の締め付けによりスリーブ３が変形するときに、グランド本体２およびキャップ４の内部の空き空間Ｓ（図６参照）にスリーブ３の変形が逃げることを防ぐことができるので、スリーブ３の気密・液密性およびケーブルＣの保持力をより確実に確保することが可能になる。
【００３８】
また、本実施形態のケーブルグランド１では、スリーブコレット７の円筒部７１の前方側の端部（スリット７３ａの開放側とは反対側の端部）に、円筒部７１の端部周縁から内方に向けて突出するフランジ７２を形成しているので、キャップ４を締め付ける際に、スリーブコレット７のフランジ７２がスリーブ３の前方側端部に当たって、スリーブ３に対するスリーブコレット７の軸方向の位置が規制される。これにより、スリーブコレット７がスリーブ３からずれることを防ぐことができる。
【００３９】
−他の実施形態−
なお、今回開示した実施形態は、すべての点で例示であって、限定的な解釈の根拠となるものではない。したがって、本発明の技術的範囲は、上記した実施形態のみによって解釈されるものではなく、特許請求の範囲の記載に基づいて画定される。また、本発明の技術的範囲には、特許請求の範囲と均等の意味および範囲内でのすべての変更が含まれる。
【００４０】
例えば、以上の実施形態では、スリーブコレット７のスリット７３ａの数を１２条としているが、本発明はこれに限られることなく、スリットの条数は１２条の以外の任意の条数であってもよい。
【００４１】
本発明において、ケーブルグランドを構成する部材の断面構造等は、スリーブ、スリーブコレットおよびキャップの取り合いに影響しない範囲で適宜、改変可能である。スリーブに形成させる挿通孔の個数や太さについても、以上の実施形態に限定されるものではない。
【００４２】
また、本発明のケーブルグランドは、配電用や通信用のケーブルだけでなく、外皮（シース）のない電線や、電線を収容するための保護管、あるいは流体を送るための各管材等の保護にも利用可能であるから、本発明における「ケーブル」は、それらの線材や管材も包含するものとする。
【産業上の利用可能性】
【００４３】
本発明は、電気機器等にケーブルを保持する際に使用されるケーブルグランドに有効に利用することができる。
【符号の説明】
【００４４】
１  ケーブルグランド
２  グランド本体
２１  鍔部
２２  ケーブル保持部
２２ａ  雄ねじ
２３  取付部
２３ａ  雄ねじ
２４  挿通孔
２４ａ  ケーブル保持孔
２４ｂ  円すいテーパ面
３  スリーブ
３ａ  挿通孔
４  キャップ
４１ａ  雌ねじ
４２ｂ  円すいテーパ面
５  パッキン
６  ロックナット
７  スリーブコレット
７１  円筒部
７２  フランジ
７３  スリット形成部
７３ａ  スリット
【図１】
2018098828.tif 000003
【図２】
2018098828.tif 000004
【図３】
2018098828.tif 000005
【図４】
2018098828.tif 000006
【図５】
2018098828.tif 000007
【図６】
2018098828.tif 000008